(57)【要約】【課題】ラケットのグリップ部分のクッショングリップの上に、側縁部を重ねながら螺旋状に巻き付けられるカバー用のグリップテープの改良に関する。【解決手段】ラケットのグリップ部分に螺旋状に巻き付けられてクッショングリップを形成するグリップテープの上に、側縁部が互いに同一幅で重なり合いながら螺旋状に巻き付けられるカバー用のグリップテープにおいて、  上記カバー用のグリップテープが、テープ表面側に、該テープの長手方向であって螺旋状に巻き付ける際にグリップの前方となる側縁部に沿って、螺旋状に巻き付ける際に上方となるテープ部分を既に巻き付けられた下方のテープ部分に一定の幅で重ねる位置をガイドする表面側ガイド部を形成してなることを特徴とする。【選択図】図１
0003102939.tif 000002
【実用新案登録請求の範囲】
【請求項１】
ラケットのグリップ部分に螺旋状に巻き付けられてクッショングリップを形成するグリップテープの上に、側縁部が互いに同一幅で重なり合いながら螺旋状に巻き付けられるカバー用のグリップテープにおいて、
上記カバー用のグリップテープが、テープ表面側に、該テープの長手方向であって螺旋状に巻き付ける際にグリップの前方となる側縁部に沿って、螺旋状に巻き付ける際に上方となるテープ部分を既に巻き付けられた下方のテープ部分に一定の幅で重ねる位置をガイドする表面側ガイド部を形成してなることを特徴とするガイド付きカバー用グリップテープ。
【請求項２】
ラケットのグリップ部分に螺旋状に巻き付けられてクッショングリップを形成するグリップテープの上に、側縁部が互いに同一幅で重なり合いながら螺旋状に巻き付けられるカバー用のグリップテープにおいて、
上記カバー用のグリップテープが、テープ表面側に、該テープの長手方向であってグリップ部分に螺旋状に巻き付ける際にグリップの前方となる側縁部に沿って、螺旋状に巻き付ける際に上方となるテープ部分を既に巻き付けられた下方のテープ部分に一定の幅で重ねる位置をガイドする表面側ガイド部を形成しており、
テープ裏面側に、該テープの長手方向であって螺旋状に巻き付ける際にグリップの後方となる側縁部に沿って、螺旋状に巻き付ける際に既に巻き付けられた下方のテープ部分の表面側ガイド部と整合する位置に裏面側ガイド部が形成されていることを特徴とするガイド付きカバー用グリップテープ。
【請求項３】
表面側ガイド部が表面に表示されて側縁部に沿って延びる線からなっていることを特徴とする請求項１または２に記載のガイド付きカバー用グリップテープ。
【請求項４】
裏面側ガイド部が下方のテープ部分の前方の側縁部を掛止める段部からなっていることを特徴とする請求項２または３に記載のガイド付きカバー用グリップテープ。
【考案の詳細な説明】
【技術分野】
【０００１】
本考案は、ラケットのグリップ部分に螺旋状に巻き付けられてクッショングリップを形成するグリップテープの上に、側縁部を重ねながら螺旋状に巻き付けられるカバー用のグリップテープの改良に関する。
【背景技術】
【０００２】
ラケットのグリップ部分に螺旋状に巻き付けられてクッショングリップを形成する構造としては、例えば特公昭３１−１２１５号のスポーツ用品の握柄用巻帯や、特開２００１−１７０２３４のグリップテープがある。
これらのテープでは、両側縁部の重なる部分の厚みを本体の略半分の厚みにすることで、重ねた際に本体と側縁部とがほぼ同一面となるようにしており、またその肉薄部分を重ねることで螺旋状に巻き付けることができる。
このようなクッショングリップを形成するテープは、熟練工や機械によって巻き付けられ、また緩衝のための厚みを有するので側縁部を薄肉に形成することができるが、高価であるため簡単に交換することができない。
そこで、クッショングリップの上に巻き付けて、クッショングリップが汚れたり、傷つかないようにするため廉価なカバー用のグリップテープが用いられている。
このカバー用のグリップテープは、テープ自体の厚みが薄く、また幅も狭いため全長が長く設定されているので重なり合う個所が多く、またラケットの所持者が自分で巻き付けるのでテープの側縁部を互いに同一幅で重ね合わせながら螺旋状に巻き付けることは手間のかかる繁雑な作業となっており、重ね合う部分を均一に巻き付けることは困難であった。
【特許文献１】特公昭３１−１２１５号公報
【特許文献２】特開２００１−１７０２３４公報
【考案の開示】
【考案が解決しようとする課題】
【０００３】
この発明の解決しようとする問題点は、カバー用グリップテープに表面側ガイド部またはこれと共に裏面側ガイド部を設けて、誰でも簡単に、テープの側縁部が互いに同一幅で重なり合いながら螺旋状に巻き付けることができるようにしたガイド付きカバー用グリップテープを提供することにある。
【課題を解決するための手段】
【０００４】
本考案は、上記課題を解決するために、請求項１の考案では、
ラケットのグリップ部分に螺旋状に巻き付けられてクッショングリップを形成するグリップテープの上に、側縁部が互いに同一幅で重なり合いながら螺旋状に巻き付けられるカバー用のグリップテープにおいて、
上記カバー用のグリップテープが、テープ表面側に、該テープの長手方向であって螺旋状に巻き付ける際にグリップの前方となる側縁部に沿って、螺旋状に巻き付ける際に上方となるテープ部分を既に巻き付けられた下方のテープ部分に一定の幅で重ねる位置をガイドする表面側ガイド部を形成してなる、という技術的手段を講じている。
また、請求項２の考案では、
ラケットのグリップ部分に螺旋状に巻き付けられてクッショングリップを形成するグリップテープの上に、側縁部が互いに同一幅で重なり合いながら螺旋状に巻き付けられるカバー用のグリップテープにおいて、
上記カバー用のグリップテープが、テープ表面側に、該テープの長手方向であってグリップ部分に螺旋状に巻き付ける際にグリップの前方となる側縁部に沿って、螺旋状に巻き付ける際に上方となるテープ部分を既に巻き付けられた下方のテープ部分に一定の幅で重ねる位置をガイドする表面側ガイド部を形成しており、
テープ裏面側に、該テープの長手方向であって螺旋状に巻き付ける際にグリップの後方となる側縁部に沿って、螺旋状に巻き付ける際に既に巻き付けられた下方のテープ部分の表面側ガイド部と整合する位置に裏面側ガイド部が形成されている、という技術的手段を講じている。
前記表面側ガイド部は表面に表示されて側縁部に沿って延びる線からなっていてもよい。
また、裏面側ガイド部は下方のテープ部分の前方の側縁部を掛止める段部からなっていてもよい。
更に、前記表面側ガイド部と裏面側ガイド部が凹溝からなっていてもよい。
【考案の効果】
【０００５】
本考案のガイド付きカバー用グリップテープは、表面側ガイド部またはこれと共に裏面側ガイド部を設け、上記ガイド部に沿って側縁部が互いに同一幅で重なり合いながら螺旋状に巻き付けることができるようにしたので、カバー用グリップテープを誰でも容易に巻き付けることができる。
また、正確に巻き付けることができるので、ラケットの種類毎にグリップ部分にフィットする長さのカバー用グリップテープを準備することができる。
【考案を実施するための最良の形態】
【０００６】
以下に、この考案のガイド付きカバー用グリップテープをテニスラケットＴに適用した場合の好適実施例について図面を参照しながら説明する。
ここで一例として示すテニスラケットは、図９に示すように、グリップ１０を有しフレームにガットを張った公知形状からなっている。
【実施例１】
【０００７】
［グリップテープ］
図１のカバー用グリップテープ１は、テープ表面に表面側ガイド２を有しており、裏面にはガイドを設けていない構成からなる。
このグリップテープ１としては、例えば厚み１ｍｍ以下で、幅が２５〜３０ｍｍで同一の幅に設定されており、長さは約１ｍ前後の合成樹脂テープや合成皮革・天然皮革テープなどからなっているが、この考案で上記数値や素材は特に限定されるものではない。
このグリップテープ１は、基端側には斜めに切断して先細りとした基準部（図示せず）が形成されており、先端側はグリップ部分の長さに合わせて適宜切断しうるように直角に切り欠かれる形状や、巻き付け長さが予め決まっている場合には、先端側（巻き付け終端側）にも斜めに切断して先細りとした基準部（図示せず）を形成した公知形状からなる。
【０００８】
［表面側ガイド］
次ぎに、表面側ガイド２は、一例としては、図１に示すように、グリップテープ１の表面に表示されて、テープの長手方向に延びる一方の側縁部Ｌ１に沿って直線状に延び、該側縁部Ｌ１と一定の幅Ｗ１で離間した線（ライン模様）として施されている。
このライン模様は、表面上に描かれたもの、あるいは凹状に窪ませて内部を着色したものなどからなる。
また前記一方の側縁部Ｌ１は、グリップテープ１の長手方向であって螺旋状に巻き付ける際にグリップ部分の前方（ネット寄り）となる側である。
【０００９】
上記表面側ガイド２は、図形や模様として表現されていてもよく、例えば図２に示すように凹状に窪み、または凸状となって滑り止め機能を有し、あるいは貫通して通気性を有する大小のドット模様からなって、模様の幅方向の端部が同一直線状になるように設定されており、上記模様の端部を結んで想定される線２’がガイドとして機能するような構成であってもよい。
そして、この模様の形状は特に上記実施例に限らず、適宜形状とすることができる。
このように模様とした場合には、模様の左右の端部を前述のようにガイドとして機能する形状としてもよい。
【００１０】
［取付方法］
このような表面側ガイド２を有するカバー用グリップテープ１は、グリップ１０に予め巻き付けられているクッション性を有するグリップテープ１１の上に、螺旋状に巻き付けられる。
即ち、図示しない基準部をグリップ１０の基端部に揃えてから、図３に示すようにグリップテープ１１上に巻き付けるが、その際に上下に重なるテープ部分の両側の側縁部Ｌ１、Ｌ２が互いに同一幅で上下に重なり合いながら螺旋状に巻き付けられる。
【００１１】
即ち、表面側ガイド２は、側縁部を重ねながら螺旋状に巻き付ける際に、同一のテープで上方となるテープ部分６を既に巻き付けられた下方のテープ部分５に一定の幅で重ねる位置をガイドするものであり、上方となるテープ部分６の後方の側縁部Ｌ２の端を下方のテープ部分５の線状の表面側ガイド２に合わせてその上に重ねて巻き付けていく。
なお表面側ガイド２は、巻き付けた後に表面に露出させないようにするため、上方となるテープ部分６の他方の側縁部Ｌ２は、表面側ガイド２を覆い隠すように巻き付けられる。
【００１２】
これにより、カバー用グリップテープ１は、同一の幅で側縁部Ｌ１とＬ２を重ねながら螺旋状に簡単に巻き付けることができる。
このように巻かれたカバー用グリップテープ１の先端は、前述のように、斜めに切除し、または先端の図示しない基準部を巻いて端部を揃えてから、接着テープで止めて仕上げる。
【実施例２】
【００１３】
図４のカバー用グリップテープ１は、前記実施例の表面側ガイド２に加えて、裏面側ガイド４を設けた異なる実施例を示す。
表面側ガイド２は前記実施例と同様であるので、その説明を省略する。
【００１４】
［裏面側ガイド］
裏面側ガイド４は、グリップテープ１の裏面に表示されて、表面側ガイド２と反対側の側縁部Ｌ２に沿ってテープの長手方向に側縁部Ｌ２と平行となる直線状に延びており、前記表面側ガイド２と一方の側縁部Ｌ１との間隔（幅）Ｗ１に対応する間隔Ｗ２で他方の側縁部Ｌ２から離間した線（ライン模様）として施されている。
上記裏面側ガイド４も、前記表面側ガイド２と同様に、図形や模様として表現されていてもよい。
【００１５】
図５に示すカバー用グリップテープ１は、表面側ガイド２が凹溝のラインからなっており、裏面側ガイド４は、他方の側縁部Ｌ２に沿って延びる段部からなっていることを特徴とする。
即ち、裏面側ガイド４は、他方の側縁部Ｌ２側から薄肉に形成されており、所定の位置で断面アングル状の段部となっている。
更に、他方の側縁部Ｌ２の端には、前記表面側ガイド２の凹溝に掛止めうる突条７を一体に形成してもよい。
【００１６】
そして、カバー用グリップテープ１の巻き付け時には、上方となるテープ部分６の段部４からなる裏面側ガイド４を、下方のテープ部分５の一方の側縁部Ｌ１に掛止めるように巻き付けると、上方となるテープ部分６の他方（後方）の側縁部Ｌ２の端が下方のテープ部分５の表面側ガイド２の上に重なるので、この位置を確認しながら巻き付けていく。
この際に、前述のように裏面で他方の側縁部Ｌ２の端に突条７を設けておき表面側ガイド２の凹溝に係止するようにしてもよい。
【００１７】
図６に示すカバー用グリップテープ１は、他方の側端縁Ｌ２から裏面側ガイド４までを第１薄肉部４’とし、中央部分８を内側へ厚く凸状に突出させている。
また、反端側の一方の側端縁Ｌ２側も、同様の幅で第２薄肉部９としてもよい。
そして、巻き付ける際には、図７および図８で例示するように、先に巻き付けられた下方のテープ部分５の表面側ガイド２に、その上方となるテープ部分６の後方の側縁部Ｌ２を沿わせ、同時に下方のテープ部分５の表面側ガイド２の前方の側縁部Ｌ１を、上方となるテープ部分６の裏面ガイド４の段部に衝合させることで、上下に重なる側縁部Ｌ１、Ｌ２の重なり合う幅を均一にしてグリップに正確に巻き付けることができる。
【００１８】
ここで、前記裏面側ガイド４が段部の場合、下方のテープ部分５の表面側ガイド２の前方の側縁部Ｌ１を、上記段部からなる裏面側ガイド４に押し当て掛止めて、簡単に位置決めをすることができて好ましい。
カバー用グリップテープ１の本体部分（図示例では中央部分８）が厚みを有する場合には、表面側ガイド２から巻付け時に前方の側縁部Ｌ１までと、裏面側ガイド４から巻付け時に後方の側縁部Ｌ２までとをそれぞれ本体部分の厚みの略半分の厚みにしておけば、重ね合わせた際に厚みが大きく盛り上がることがなくほぼ平坦な表面を形成することができる。
【００１９】
このように、ガイドテープを巻き付ける際に重なり合う部分を均一に正しく重ねることができるので、カバー用ガイドテープの長さに余裕を持たせておく必要がなく、前記基準部を前後に設けて正確な長さのテープとすることができる。
従って、グリップ部分の形状に合わせて専用のカバー用ガイドテープを用意しておくこともできる。
その他、この考案の要旨を変更しない範囲で種々設計変更しうること勿論である。
【産業上の利用可能性】
【００２０】
上記実施例では、テニスのラケットのカバー用グリップテープに用いた場合を例示したが、その他のスポーツに用いるラケットのグリップに用いるものであってもよい。
【図面の簡単な説明】
【００２１】
【図１】表面側ガイドを有するカバー用グリップテープの要部を示す平面図である。
【図２】表面側ガイドがドット模様からなるカバー用グリップテープの要部を示す平面図である。
【図３】図１のカバー用グリップテープの巻き付け方法を説明する斜視図である。
【図４】表面側ガイドと裏面側ガイドを有するカバー用グリップテープの要部を示す図であって（ａ）は平面側から見た斜視図、（ｂ）は底面側から見た斜視図、（ｃ）は側面図である。
【図５】表面側ガイドと裏面側ガイドを有する別のカバー用グリップテープの要部を示す図であって（ａ）は平面側から見た斜視図、（ｂ）は底面側から見た斜視図、（ｃ）は側面図である。
【図６】表面側ガイドと裏面側ガイドを有する異なるカバー用グリップテープの要部を示す図であって（ａ）は平面側から見た斜視図、（ｂ）は底面側から見た斜視図、（ｃ）は側面図である。
【図７】図６のカバー用グリップテープの巻き付け方法を説明する斜視図である。
【図８】ガイドが凹部からなるカバー用グリップテープの巻き付け状態を説明する図で（ａ）は要部の断面図、（ｂ）は同拡大断面図である。
【図９】ラケットの斜視図である。
【符号の説明】
【００２２】
１    カバー用グリップテープ
２    表面側ガイド
４    裏面側ガイド
４’  第１薄肉部
５    下方のテープ部分
６    上方となるテープ部分
７    突条
８    中央部分
９    第２薄肉部
１０    グリップ
１１    グリップテープ
Ｌ１  一方の側縁部
Ｌ２  他方の側縁部
【図１】
0003102939.tif 000003
【図２】
0003102939.tif 000004
【図３】
0003102939.tif 000005
【図４】
0003102939.tif 000006
【図５】
0003102939.tif 000007
【図６】
0003102939.tif 000008
【図７】
0003102939.tif 000009
【図８】
0003102939.tif 000010
【図９】
0003102939.tif 000011